(57)【特許請求の範囲】
【請求項１】
医師が患者に対して行った説明の音声データを取得する音声データ取得部と、
前記音声データ取得部によって取得された音声データをテキストデータに変換するデータ変換部と、
医者が患者に対して行う説明を要約した要約テンプレートを複数記憶する要約テンプレート記憶部と、
前記データ変換部によって変換されたテキストデータと前記各要約テンプレートに対応させて予め設定されたキーワードとを照合し、前記テキストデータに含まれる前記キーワードを抽出するキーワード抽出部と、
前記テキストデータに含まれる、前記各要約テンプレートに対応するキーワードの数に基づいて、前記各要約テンプレートを評価する要約テンプレート評価部と、
前記要約テンプレート評価部によって評価された複数の要約テンプレートの中から記録対象の要約テンプレートの選択を受け付け、該選択された要約テンプレートを記録する要約テンプレート記録部とを備えた医療支援システム。
【請求項２】
前記キーワードが、前記要約テンプレートの内容に関連するキーワードである請求項１記載の医療支援システム。
【請求項３】
前記要約テンプレート記憶部が、疾患および患者に対する説明の時期の組み合わせ毎に複数の要約テンプレートを記憶し、
前記要約テンプレート評価部が、前記要約テンプレート記憶部に記憶された複数の要約テンプレートの中から、所定の疾患および患者に対する説明の時期の組み合わせに対応する要約テンプレートを特定し、前記テキストデータに含まれる、前記特定した要約テンプレートに対応する前記キーワードの数に基づいて、前記特定した要約テンプレートを評価する請求項１または２記載の医療支援システム。
【請求項４】
前記選択された記録対象の要約テンプレートに対する編集指示を受け付ける編集指示受付部を備えた請求項１から３いずれか１項項記載の医療支援システム。
【請求項５】
前記選択された記録対象の要約テンプレートを記録する際、前記医師の署名の入力を受け付ける署名入力受付部を備えた請求項１から４いずれか１項記載の医療支援システム。
【請求項６】
前記要約テンプレート評価部による前記各要約テンプレートの評価結果を表示させる請求項１から５いずれか１記載の医療支援システム。
【請求項７】
医者が患者に対して行う説明を要約した要約テンプレートを予め複数記憶し、
医師が患者に対して行った説明の音声データを取得し、
前記音声データをテキストデータに変換し、
該変換したテキストデータと前記各要約テンプレートに対応させて予め設定されたキーワードとを照合し、前記テキストデータに含まれる前記キーワードを抽出し、
前記テキストデータに含まれる、前記各要約テンプレートに対応するキーワードの数に基づいて、前記各要約テンプレートを評価し、
該評価した複数の要約テンプレートの中から記録対象の要約テンプレートの選択を受け付け、該選択された要約テンプレートを記録する医療支援方法。
【請求項８】
医師が患者に対して行った説明の音声データをテキスト変換することによって得られたテキストデータと、医者が患者に対して行う説明を要約した要約テンプレートであって予め記憶された複数の要約テンプレートにそれぞれ対応させて予め設定されたキーワードとを照合し、前記テキストデータに含まれる前記キーワードを抽出するステップと、
前記テキストデータに含まれる、前記各要約テンプレートに対応するキーワードの数に基づいて、前記各要約テンプレートを評価するステップと、
該評価した複数の要約テンプレートの中から記録対象の要約テンプレートの選択を受け付け、該選択された要約テンプレートを記録するステップとをコンピュータに実行させる医療支援プログラム。
【発明の詳細な説明】
【技術分野】
【０００１】
本発明は、医師が患者に対して行った説明の要約を簡易な方法で記録する医療支援システムおよび方法並びにプログラムに関するものである。
【背景技術】
【０００２】
近年、医療の世界でも働き方改革が推進され、医師の長時間労働や業務負担増が指摘されている。医師からの病状説明は、患者や家族はいつでも納得がいくまで説明を受ける権利があるとされている一方で、医師の業務の中でも多くの時間を費やし、負担の大きい業務である。
【０００３】
特許文献１には、コ・メディカルスタッフによって作成された患者の健康又は診断の要約情報を、健康・医療電子カルテデータベースに累積的に登録する方法が提案されている。
【先行技術文献】
【特許文献】
【０００４】
【特許文献１】特開２００２−２１５８０４号公報
【発明の概要】
【発明が解決しようとする課題】
【０００５】
特許文献１に記載のように要約情報をカルテデータベースなどに登録しておくことによって、患者の健康または診断などを後で確認することができるので、たとえば医師から患者への説明の負担を軽減することができ、医師間の引き継ぎも容易に行うことができる。
【０００６】
しかしながら、特許文献１に記載のようにコ・メディカルスタッフが要約情報を作成するようにしたのでは、やはりコ・メディカルスタッフの労働時間が長くなり、負担が増大するため、業務負担が大きいという問題に対しては根本的な解決には至らない。
【０００７】
本発明は、上記の問題に鑑み、医師またはコ・メディカルスタッフなどの業務負担を大幅に軽減することができる医療支援システムおよび方法並びにプログラムを提供することを目的とする。
【課題を解決するための手段】
【０００８】
本発明の医療支援システムは、医師が患者に対して行った説明の音声データを取得する音声データ取得部と、音声データ取得部によって取得された音声データをテキストデータに変換するデータ変換部と、データ変換部によって変換されたテキストデータから、予め設定されたキーワードを抽出するキーワード抽出部と、医者が患者に対して行う説明を要約した要約テンプレートを複数記憶する要約テンプレート記憶部と、キーワード抽出部によって抽出されたキーワードに基づいて、複数の要約テンプレートを評価する要約テンプレート評価部と、複数の要約テンプレートの中から記録対象の要約テンプレートの選択を受け付け、その選択された要約テンプレートを記録する要約テンプレート記録部とを備える。
【０００９】
また、本発明の医療支援システムにおいて、キーワードは、要約テンプレートの内容に関連するキーワードとすることができる。
【００１０】
また、本発明の医療支援システムにおいて、要約テンプレート記憶部は、疾患および患者に対する説明の時期の組み合わせ毎に複数の要約テンプレートを記憶することができる。
【００１１】
また、本発明の医療支援システムにおいては、選択された記録対象の要約テンプレートに対する編集指示を受け付ける編集指示受付部を備えることができる。
【００１２】
また、本発明の医療支援システムにおいては、選択された記録対象の要約テンプレートを記録する際、医師の署名の入力を受け付ける署名入力受付部を備えることができる。
【００１３】
本発明の医療支援方法は、医者が患者に対して行う説明を要約した要約テンプレートを予め複数記憶し、医師が患者に対して行った説明の音声データを取得し、音声データをテキストデータに変換し、その変換したテキストデータから予め設定されたキーワードを抽出し、その抽出したキーワードに基づいて、複数の要約テンプレートを評価し、その複数の要約テンプレートの中から記録対象の要約テンプレートの選択を受け付け、その選択された要約テンプレートを記録する。
【００１４】
本発明の医療支援プログラムは、医師が患者に対して行った説明の音声データをテキスト変換することによって得られたテキストデータから、予め設定されたキーワードを抽出するステップと、医者が患者に対して行う説明を要約した、予め記憶された複数の要約テンプレートを参照し、上記抽出したキーワードに基づいて、複数の要約テンプレートを評価するステップと、複数の要約テンプレートの中から記録対象の要約テンプレートの選択を受け付け、その選択された要約テンプレートを記録するステップとをコンピュータに実行させることができる。
【発明の効果】
【００１５】
本発明の医療支援システムおよび方法並びにプログラムによれば、医師が患者に対して行った説明の音声データを取得し、その音声データをテキストデータに変換し、その変換したテキストデータから予め設定されたキーワードを抽出する。
【００１６】
そして、予め記憶された複数の要約テンプレートを参照し、上記抽出したキーワードに基づいて、複数の要約テンプレートを評価する。次いで、その評価した複数の要約テンプレートの中から記録対象の要約テンプレートの選択を受け付け、その選択された要約テンプレートを記録する。
【００１７】
これにより、医師またはコ・メディカルスタッフが、病状説明の要約を効率よく作成することができ、医師またはコ・メディカルスタッフの業務負担を大幅に軽減することができる。
【００１８】
また、病状説明のマニュアル化や透明化を図ることができ、医師が行った病状説明の内容を多職種間で共有することができる。また、これにより看護師等から医師への説明内容の確認の回数を減らすことができる。
【図面の簡単な説明】
【００１９】
【図１】本発明の医療支援システムの一実施形態の概略構成を示すブロック図
【図２】要約テンプレートおよび要約テンプレートに関連するキーワードの一例を示す図
【図３】ユーザインタフェース画面の一例を示す図
【図４】要約テンプレート編集画面の一例を示す図
【図５】図１に示す医療支援システム全体の処理の流れを説明するためのフローチャート
【発明を実施するための形態】
【００２０】
以下、本発明の医療支援システムおよび方法並びにプログラムの一実施形態について、図面を参照しながら詳細に説明する。図１は、本実施形態の医療支援システム１の概略構成を示すブロック図である。
【００２１】
本実施形態の医療支援システム１は、医師が患者に対して病状などを説明した際、その説明の音声データを取得し、その音声データをテキストデータに変換する。そして、医療支援システム１は、そのテキストデータから予め設定されたキーワードを抽出し、その抽出したキーワードに基づいて、予め記憶された複数の要約テンプレートを評価する。医師またはコ・メディカルスタッフは、要約テンプレートのそれぞれの評価結果を参考にして、記録対象の要約テンプレートを選択し、医療支援システム１は、その医師またはコ・メディカルスタッフによって選択された要約テンプレートを上記患者の電子カルテなどに記録する。
【００２２】
具体的には、医療支援システム１は、図１に示すように、第１の端末装置１０と、第２の端末装置２０とを備えている。
【００２３】
第１の端末装置１０および第２の端末装置２０は、コンピュータから構成され、ＣＰＵ（Central Processing Unit）、半導体メモリ、ハードディスクおよび通信Ｉ／Ｆ（Interface）などを備えている。第１の端末装置１０および第２の端末装置２０は、たとえばデスクトップパソコン、ノートパソコンまたはタブレット端末などから構成される。第２の端末装置２０は、後述するようにユーザインタフェース画面を表示し、そのユーザインタフェース画面において種々の設定入力を受け付けるので、タッチパネルを有するタブレット端末であることが好ましい。
【００２４】
第１の端末装置１０と第２の端末装置２０は、インターネットやＬＡＮ（Local Area Network）などの通信回線を介して接続されており、互いに通信可能に構成されている。
【００２５】
また、第１の端末装置１０には、図１に示すように、医師が患者に対して行った説明を録音するためのマイク装置３０が接続されている。マイク装置３０は、たとえば医師の胸元に装着することができるピンマイクであることが好ましい。
【００２６】
第１の端末装置１０は、たとえば医師が患者に対して病状や治療などに関する説明を行う部屋に設置されるものであり、図１に示すように、音声データ取得部１１と、データ変換部１２とを備えている。
【００２７】
音声データ取得部１１は、マイク装置３０によって集音されて増幅された音声データを取得する。
【００２８】
データ変換部１２は、音声データ取得部１１によって取得された音声データをテキストデータに変換する。音声データからテキストデータへの変換については、既に公知なアプリケーションまたはシステムなどを用いることができる。
【００２９】
第１の端末装置１０は、データ変換部１２によって変換されたテキストデータをＰＤＦファイルに変換し、第２の端末装置２０に出力する。第１の端末装置１０から第２の端末装置２０へのＰＤＦファイルの出力方法としては、たとえばAir Drop（登録商標）などの既存のアプリケーションを用いるようにしてもよいし、電子メールで送信するようにしてもよいし、もしくは所定のデータサーバ装置（図示省略）を介して第２の端末装置２０に受け渡すようにしてもよい。
【００３０】
第２の端末装置２０は、図１に示すように、キーワード抽出部２１と、要約テンプレート記憶部２２と、要約テンプレート評価部２３と、要約テンプレート記録部２４と、ユーザインタフェース部２５とを備えている。なお、本実施形態においては、ユーザインタフェース部２５が、本発明の編集指示受付部および署名入力受付部に相当する。
【００３１】
第２の端末装置２０のハードディスクまたは半導体メモリには、本発明の医療支援プログラムの一実施形態がインストールされており、この医療支援プログラムが、第２の端末装置２０のＣＰＵによって実行されることによって、上述したキーワード抽出部２１と、要約テンプレート評価部２３と、要約テンプレート記録部２４と、ユーザインタフェース部２５とが機能する。
【００３２】
なお、本実施形態においては、キーワード抽出部２１、要約テンプレート評価部２３、要約テンプレート記録部２４およびユーザインタフェース部２５の機能を、上述したようにソフトウェアによって実現するようにしたが、これに限らず、一部または全部の機能をＡＳＩＣ（Application Specific Integrated Circuit）やＦＰＧＡ（Field-Programmable Gate Array）、その他の電気回路などのハードウェアから構成するようにしてもよい。
【００３３】
また、要約テンプレート記憶部２２は、第２の端末装置２０のハードディスクまたは半導体メモリから構成されるものであり、要約テンプレートを記憶するものである。要約テンプレートとは、医師が患者に対して行う病状や治療方針などの説明の要約であって、予め定められた文章で構成されたものである。
【００３４】
本実施形態においては、疾患の種類および医師が患者に対して説明を行う時期の組み合わせ毎に、上述した要約テンプレートが作成され、要約テンプレート記憶部２２に記憶される。医師からの病状説明の内容は、疾患毎または医師が説明を行う時期毎にある程度パターン化されているため、本実施形態では、その要約のテンプレートを予め作成して記憶する。
【００３５】
疾患としては、たとえば「脳梗塞」、「めまい」、「脳内出血」、「クモ膜下出血」および「慢性硬膜下血腫」などがあり、医師が患者に対して説明を行う時期としては、「入院時」、「中間報告」および「退院時」などがある。なお、疾患および医師が説明を行う時期としては、これらに限らず、その他の疾患および時期を設定するようにしてもよい。
【００３６】
図２は、たとえば疾患が「脳梗塞」であり、医師が説明を行う時期が「中間報告」である場合の要約テンプレートの例を示す図である。図２に示すように、たとえば「脳梗塞」と「中間報告」の組み合わせに対して「６」の番号が付され、その「６」の番号に対応する６−１〜６−６までの６種類の要約テンプレートが要約テンプレート記憶部２２に記憶される。
【００３７】
なお、図２には、疾患が「脳梗塞」であり、医師が説明を行う時期が「中間報告」の場合の要約テンプレートの一例を示しているが、実際には、その他の疾患と、医師が説明を行う時期との組み合わせ毎に番号が付され、その番号に対応する複数の要約テンプレートが要約テンプレート記憶部２２に記憶される。たとえば「脳梗塞」と「入院時」の組み合わせに対して「５」の番号が付され、５−１〜５−６までの６種類の要約テンプレートが記憶され、または「脳内出血」と「退院時」の組み合わせに対して「４」の番号が付され、４−１〜４−６までの６種類の要約テンプレートが記憶される。
【００３８】
キーワード抽出部２１は、第１の端末装置１０から出力されたＰＤＦデータからテキストデータを取得し、そのテキストデータから、予め設定されたキーワードを抽出する。ＰＤＦデータからテキストデータを取得する方法としては、たとえば第２の端末装置２０のユーザが、ＰＤＦデータに含まれるテキストデータをコピー・ペーストすることによって取得するようにしてもよいし、ＰＤＦデータに対して公知な文字認識処理を施すことによってテキストデータを取得するようにしてもよい。
【００３９】
予め設定されたキーワードとは、上述した要約テンプレートに関連するキーワードであり、要約テンプレート毎に、複数のキーワードが設定される。図２に示す例では、たとえば「脳梗塞」と「中間報告」の組み合わせに対する要約テンプレートの１つである「６−５」のテンプレートに対して、６−５ａ〜６−５ｊの１０個のキーワードが設定されている。キーワードとしては、たとえば「新しい梗塞」、「悪化しないように」、「詰まった」、「１０日くらい」および「リハビリ」などがあるが、これに限らず、脳梗塞の患者に対して中間報告する際に使用する可能性がある言葉であれば、如何なる言葉を含めるようにしてもよい。また、「６−５」の要約テンプレートだけでなく、６−１〜６−４および６−６の要約テンプレートに対してもそれぞれ複数のキーワードが設定される。また、番号「６」以外のその他の番号の要約テンプレートに対してもそれぞれ複数のキーワードが設定される。
【００４０】
キーワード抽出部２１は、第１の端末装置１０から出力されたテキストデータと、上述した予め設定された全てのキーワードとを照合し、テキストデータに含まれるキーワードを抽出する。なお、キーワードの抽出処理については、公知な手法を用いることができる。
【００４１】
要約テンプレート評価部２３は、キーワード抽出部２１によって抽出されたキーワードに基づいて、要約テンプレート記憶部２２に記憶された複数の要約テンプレートをそれぞれ評価する。
【００４２】
本実施形態の要約テンプレート評価部２３は、コ・メディカルスタッフなどによって設定入力された疾患名と医師が説明を行った時期との組み合わせから、複数の要約テンプレートの中からこの組み合わせに応じた要約テンプレートを特定する。そして、その特定した要約テンプレートに対応するキーワードが、テキストデータの中にいくつ含まれるかによって各要約テンプレートを評価する。
【００４３】
ここで、本実施形態の要約テンプレート評価部２３の要約テンプレートの評価方法について、図３に示すユーザインタフェース画面を参照しながら説明する。図３に示すユーザインタフェース画面は、ユーザインタフェース部２５によって第２の端末装置２０のディスプレイに表示される画面である。
【００４４】
まず、第２の端末装置２０に表示されるユーザインタフェース画面について説明する。図３に示すユーザインタフェース画面の左上には患者の氏名とその識別番号が表示され、その下に、疾患名の設定入力欄Ｒ１と患者に対する説明の時期の設定入力欄Ｒ２とが表示される。疾患名の設定入力欄Ｒ１と患者に対する説明の時期の設定入力欄Ｒ２は、それぞれプルダウンメニューとなっており、そのプルダウンメニューにおいて、疾患名および患者に対する説明の時期が選択される。なお、プルダウンメニューに限らず、上述した設定入力欄Ｒ１および設定入力欄Ｒ２にユーザがテキスト入力するようにしてもよい。
【００４５】
そして、設定入力欄Ｒ１,Ｒ２の下に、医師が患者に対して行った説明のテキストデータが設定入力される設定入力欄Ｒ３が表示される。ユーザは、たとえばコピー・ペーストによって設定入力欄Ｒ３に上記テキストデータを設定入力する。設定入力欄Ｒ３の左横には、テキストデータの文字数が表示される。
【００４６】
設定入力欄Ｒ３に医師の説明のテキストデータが入力された場合には、上述したようにキーワード抽出部２１によって予め設定されたキーワードが抽出される。そして、キーワード抽出部２１によって抽出されたキーワードが、設定入力欄Ｒ３の右横のキーワード表示欄Ｒ４に表示される。図３では、「６−５」の要約テンプレートに対応するキーワードと、「６−２」の要約テンプレートに対応するキーワードと、「５−３」の要約テンプレートに対応するキーワードとが抽出された例を示している。
【００４７】
そして、ユーザインタフェース画面の下半分の部分には、要約テンプレートとその評価値とが表示される。
【００４８】
具体的には、要約テンプレート評価部２３は、設定入力欄Ｒ１に設定入力された疾患と、設定入力欄Ｒ２に設定入力された医師が説明を行った時期との組み合わせに基づいて、複数の要約テンプレートの中からこの組み合わせに応じた要約テンプレートを特定する。たとえば疾患が「脳梗塞」であり、医師が説明を行った時期が「中間報告」である場合には、図２に示した番号「６」の要約テンプレート６−１〜６−６が特定される。
【００４９】
そして、要約テンプレート評価部２３は、特定した要約テンプレートに対応して予め設定されたキーワードと、キーワード抽出部２１によって抽出されたキーワードとを照合することによって、評価対象の要約テンプレートを特定する。
【００５０】
具体的には、要約テンプレート評価部２３は、上述した６−１〜６−６の要約テンプレートのうち、キーワード抽出部２１によって抽出されたキーワードに対応する要約テンプレートを、評価対象の要約テンプレートとして特定する。図３に示す例の場合、キーワード抽出部２１によって、６−５の要約テンプレートに対するキーワード（６−５ｄ、６−５ｅ、６−５ｉ、６−５ｊ、６−５ｍ）と、６−２の要約テンプレートに対するキーワード（６−２ｂ）とが抽出されているので、６−５の要約テンプレートと６−２の要約テンプレートを評価対象の要約テンプレートとして特定する。なお、図３に示す例の場合、５−３ａ「点滴」のキーワードも抽出されているが、５−３の要約テンプレートは、「脳梗塞」と「中間報告」の組み合わせに対応する要約テンプレートではないので、要約テンプレート評価部２３は、５−３の要約テンプレートを評価対象の要約テンプレートとして特定しない。
【００５１】
次いで、要約テンプレート評価部２３は、評価対象として特定した６−５と６−２の要約テンプレートを評価する。具体的には、たとえば図３に示す例の場合、キーワード抽出部２１によって抽出されたキーワードであって、「脳梗塞」と「中間報告」の組み合わせに対応するキーワードが８個であり、そのうち６−５の要約テンプレートに対応するキーワードが７個であり、６−２の要約テンプレートに対応するキーワードが１個である。
【００５２】
この場合、要約テンプレート評価部２３は、６−５の要約テンプレートの評価値として、７／８×１００＝８７．５％を算出し、６−２の要約テンプレートの評価値として、１／８×１００＝１２．５％を算出する。
【００５３】
そして、要約テンプレート評価部２３による要約テンプレートの評価結果が、ユーザインタフェース部２５によってユーザインタフェース画面の下半分の部分に表示される。具体的には、図３に示す例の場合、ユーザインタフェース部２５は、評価値が最も高い６−５の要約テンプレートを一番左に表示し、次の評価値の６−２の要約テンプレートを６−５の要約テンプレートの右に表示する。すなわち、ユーザインタフェース部２５は、最も評価値が高い要約テンプレートを一番左に表示し、評価値の大きさの順にしたがって左から右に向かって要約テンプレートを並べて表示する。これにより、医師またはコ・メディカルスタッフは、複数の要約テンプレートの評価値の大きさの順番を即座に把握することができる。
【００５４】
また、ユーザインタフェース部２５は、評価対象の要約テンプレートの上に、その評価値をおすすめ度として表示する。そして、医師は、おすすめ度として表示された評価値を参考にして、最終的に記録する記録対象の要約テンプレートを選択する。なお、医師が選択する要約テンプレートとしては、必ずしも評価値が最も高いものでなくてもよく、評価値が低いものの方が患者に対して説明した内容と近いなど適切である場合には、評価値が低い要約テンプレートを選択するようにしてもよい。
【００５５】
記録対象の要約テンプレートの選択は、図３に示す評価対象の各要約テンプレートの下に表示された「これに決定」のボタンが押されることによって行われる。
【００５６】
要約テンプレート記録部２４は、上述した「これに決定」ボタンが押されることによる要約テンプレートの選択を受け付け、その選択された要約テンプレートを記録する。要約テンプレートの記録先としては、第２の端末装置２０が有するハードディスクでもよいし、第２の端末装置２０に対して通信回線を介して接続されるその他のサーバ装置などでもよい。
【００５７】
要約テンプレートは、患者毎について、その説明の時期（入院時および中間報告など）毎に記録され、適宜必要に応じて読出し可能に記録される。
【００５８】
なお、要約テンプレートを記録する際、予め記憶された要約テンプレートのまま記録してもよいが、たとえば医師が要約テンプレートの内容を確認後、その要約テンプレートに対して加筆するなど編集を施すようにしてもよい。
【００５９】
具体的には、上述したように「これに決定」ボタンが押された後、ユーザインタフェース部２５は、図４に示すような要約テンプレート編集画面を第２の端末装置２０に表示させる。要約テンプレート編集画面の編集欄Ｅ１には、まず要約テンプレートの内容が表示される。医師は、編集欄Ｅ１に表示された内容を確認し、文章を追加したり、削除したりして所望の要約を完成させる。編集操作については、たとえば要約テンプレート編集画面上に、テキスト入力可能なキーボードを表示させて編集操作を受け付けるようにしてもよいし、その他の第２の端末装置２０に接続された入力デバイスを用いて編集操作を受け付けるようにしてもよい。このように、要約テンプレートの編集作業を可能とすることによって、より適切な要約を記録することができる。
【００６０】
さらに、ユーザインタフェース部２５は、編集欄Ｅ１の右隣の下方に、署名欄Ｅ２を表示させる。署名欄Ｅ２は、医師の署名の入力を受け付ける欄である。医師は、編集後の要約の内容を確認し、問題なければ署名欄Ｅ２に署名をする。署名欄Ｅ２への署名については、たとえば図４において点線矢印で示すように、署名欄Ｅ２を拡大表示させ、スタイラスペンや手指を用いて記入するようにすればよい。
【００６１】
要約テンプレート記録部２４は、医師による署名の入力を受け付けた時点において編集後の要約を記録する。なお、必ずしも要約テンプレートの編集を行った場合に限らず、要約テンプレートをそのまま記録する場合にも、医師による署名の入力を受け付けた後に記録するようにしてもよい。
【００６２】
次に、本実施形態の医療支援システム１全体の処理の流れについて、図５に示すフローチャートを参照しながら説明する。
【００６３】
まず、医師から患者に対して病状や治療方針など説明が行われ、その説明の内容の音声データが、マイク装置３０を介して第１の端末装置１０によって取得される（Ｓ１０）。
【００６４】
そして、第１の端末装置１０によって取得された音声データはテキストデータに変換され、ＰＤＦファイルとして第２の端末装置２０に出力される（Ｓ１２）。
【００６５】
第２の端末装置２０は、入力されたＰＤＦファイルからテキストデータを取得し、そのテキストデータから予め設定されたキーワードを抽出する（Ｓ１４）。具体的には、上述したように第２の端末装置２０のキーワード抽出部２１が、テキストデータと予め設定された要約テンプレートに関連するキーワードとを照合し、テキストデータに含まれるキーワードを抽出する。
【００６６】
そして、要約テンプレート評価部２３が、キーワード抽出部２１によって抽出されたキーワードに基づいて、評価対象の要約テンプレートを特定し、その特定した要約テンプレートを評価する（Ｓ１６）。
【００６７】
そして、要約テンプレート評価部２３による評価結果は、第２の端末装置２０において要約テンプレートとともに「おすすめ度」として表示され、医師またはコ・メディカルスタッフは、そのおすすめ度の評価値を参考にして、最終的な記録対象の要約テンプレートを選択する（Ｓ１８）。
【００６８】
医師またはコ・メディカルスタッフによって選択された要約テンプレートは、上述した要約テンプレート編集画面に表示され、必要に応じて医師によって編集作業が行われる（Ｓ２０）。
【００６９】
要約テンプレートの編集作業が終了した後、医師によって署名欄Ｅ２に署名が記入され（Ｓ２２）、これにより要約テンプレート記録部２４は、編集作業後の要約テンプレートを第２の端末装置２０に記録する（Ｓ２４）。
【００７０】
なお、上記実施形態の医療支援システムにおいては、第１の端末装置１０に音声データ取得部１１およびデータ変換部１２を設け、第２の端末装置２０にキーワード抽出部２１、要約テンプレート記憶部２２、要約テンプレート評価部２３、要約テンプレート記録部２４およびユーザインタフェース部２５を設けるようにしたが、これに限らず、音声データ取得部１１、データ変換部１２、キーワード抽出部２１、要約テンプレート記憶部２２、要約テンプレート評価部２３、要約テンプレート記録部２４およびユーザインタフェース部２５を１つの端末装置に設けるようにしてもよい。
【符号の説明】
【００７１】
１     医療支援システム
１０   第１の端末装置
１１   音声データ取得部
１２   データ変換部
２０   第２の端末装置
２１   キーワード抽出部
２２   要約テンプレート記憶部
２３   要約テンプレート評価部
２４   要約テンプレート記録部
２５   ユーザインタフェース部
３０   マイク装置
【図１】
0006857691.tif 000002
【図２】
0006857691.tif 000003
【図３】
0006857691.tif 000004
【図４】
0006857691.tif 000005
【図５】
0006857691.tif 000006